(57)【要約】【課題】電子機器等の筐体を安全に移動させるとともに、定面積での設置が容易になるアーム付きキャスタおよびこれを用いた機器筐体を提供する。【解決手段】アーム付きキャスタ１は、電子機器等の筐体６の底板７の４隅にレベラ８および支持具９とを対で螺合により取り付けてある。ここで、筐体６を移動させる場合は、アーム３の末端部凹５を支持具９で筐体６の底板７に掛止してアーム３の回動を制止し、かつキャスタ２が筐体６の外側に位置するようにアーム３の先端部を突出させる。そして、レベラ８の高さを調節してキャスタ２を接地させる。次に、筐体６を設置する場合は、レベラ８を下げて接地させ、キャスタ２を設置面から浮かせる。そして、支持具９を緩めて末端部凹５の掛止を解き、アーム付きキャスタ１を矢印の方向へ回転させて筐体６の底面側に収納する。これにより、筐体６を定面積内に安定に設置できる。【選択図】      図３
2004200564.tif 000002
【特許請求の範囲】
【請求項１】
板状もしくは棒状部材の一端に切欠き部と略中心部に長円の穴とを設けてなるアームと、このアームの他端に設けたキャスタとからなることを特徴とするアーム付きキャスタ。
【請求項２】
切欠き部に代えて、一端に穴を設けたことを特徴とする請求項１に記載のアーム付きキャスタ。
【請求項３】
長円の穴の長径はアームの長手方向に略平行であることを特徴とする請求項１または２に記載のアーム付きキャスタ。
【請求項４】
請求項３に記載のアーム付きキャスタを用いた機器筐体であって、底面の各隅部にそれぞれレベラを有する機器筐体において、アームの長円の穴に前記レベラの軸部を貫通させ回動可能な複数のアーム付きキャスタを備えることを特徴とする機器筐体。
【請求項５】
機器筐体の底面にアームの切欠き部と掛合して前記アームの回動を掛止する支持具を備えることを特徴とする請求項４に記載の機器筐体。
【請求項６】
機器筐体の底面にアームの穴と掛合して前記アームの回動を掛止する支持具を備えることを特徴とする請求項４に記載の機器筐体。
【請求項７】
アーム付きキャスタを筐体の底面部に収納した後、前記筐体の下部周囲に取り付ける冷気防止カバーを備えることを特徴とする請求項５または６に記載の機器筐体。
【発明の詳細な説明】
【０００１】
【発明の属する技術分野】
本発明は電子機器筐体に関し、特にアーム付きキャスタおよびこれを用いた機器筐体の構造に関する。
【０００２】
【従来の技術】
近年、電子機器等を収容した筐体は寸法幅が狭く、かつ重心が高くなる傾向にある。そのために筐体を移動させる際には、筐体を安定させる手段として、例えば、図５に示すように、電子機器筐体（以下、筐体１１という）の底部には複数のキャスタ１２を設けるとともに、転倒防止用補助輪１３を個別に準備し、さらに、筐体１１には転倒防止用補助輪１３を固定できる構造を設けて設置時には取り外しを、移動時には取り付けを行う必要があった。また、別の方法として、筐体の内部に重りを実装し、重心を下げるなど装置の機能として不必要な部品を取り付けていた。
【０００３】
また、公知例として、筐体の底部の４隅に回転可能に取り付けられた４つキャスタと、これらのキャスタが底部からその対角線方向に引き出された状態において、各キャスタのキャスタアームの間に長方形を形成するように架け渡された４本の接続棒を備えて構成されるものが開示されている（例えば、特許文献１を参照。）。
【０００４】
さらに、別の公知例として、筐体の底部に設けた移動のためのキャスタと、底部の４隅に設けられ上下方向に調整可能なアジャスタプラパートと、底部に張り出しおよび収納可能に設けられた転倒防止足と、この転倒防止足の取り付けられた移動のためのキャスタとを備えたものがある（例えば、特許文献２を参照。）。
【０００５】
【特許文献１】
特開平１１-１１５４０２号公報
【特許文献２】
特開２００１-１４８５８３号公報
【０００６】
【発明が解決しようとする課題】
しかしながら、前者の場合には、４つキャスタのキャスタアームの間に長方形を形成するように架け渡された４本の接続棒を必要とするという欠点がある。また、後者の場合には、転倒防止足の固定もしくは収納時に固定金具および固定ねじ等の固定用部材を必要とするという欠点がある。
【０００７】
本発明の目的は、かかる課題に鑑みてなされたもので、電子機器等の筐体を移動させる際に、転倒防止用の補助キャスタを備えることなく転倒し難くするとともに、定面積での設置が容易になるというアーム付きキャスタおよびこれを用いた機器筐体を提供することにある。
【０００８】
【課題を解決するための手段】
本発明は、筐体の移動させる際に、キャスタが筐体を筐体底面の外側から支持する機構を備え、かつ筐体の設置時には筐体底面内にキャスタを収納可能としたものである。
【０００９】
具体的には、板状もしくは棒状部材の一端に切欠き部と略中心部に長円の穴とを設けてなるアームと、このアームの他端に設けたキャスタとからなることを特徴とする。そして、長円の穴の長径はアームの長手方向に略平行であり、また、切欠き部に代えて一端に穴を設けてもよい。
【００１０】
次に，このアーム付きキャスタを用いた機器筐体は、底面の各隅部にそれぞれレベラを有し、アームの長円の穴に前記レベラの軸部を貫通させ回動可能な複数のアーム付きキャスタを備えることを特徴とする。
【００１１】
また、機器筐体の底面にアームの切欠き部もしくは穴と掛合して前記アームの回動を掛止する支持具とを備えることを特徴とする。
【００１２】
さらに、アーム付きキャスタを筐体の底面部に収納した後、前記筐体の下部周囲に取り付ける冷気防止カバーを備えることを特徴とする。
【００１３】
【発明の実施の形態】
次に、本発明の実施の形態について図面を参照して説明する。
【００１４】
図１は、本発明の一実施の形態であるキャスタを示す図である。本発明のキャスタはアーム付きのキャスタであって、図１を参照すると、このアーム付きキャスタ１は、キャスタ２と板状（もしくは棒状）部材からなるアーム３とからなり、アーム３の先端部にはキャスタ２が取り付けられている。そして、基端部には筐体に取り付けるための長円の基端部穴４が設けられ、さらに、末端部には切欠き部である末端部凹５が設けられている。
【００１５】
この図１に示す末端部凹５の形状は切欠き状（半円状）をなしているが、これに代えて穴であってもよい。また、基端部穴４と末端部凹５とが結合した形状であってもよい。
【００１６】
次に、本発明のキャスタを取り付けた電子機器筐体（以下、筐体という）について図面を参照して説明する。
【００１７】
図２（ａ）は、本発明を適用した筐体の移動状態を示す下部側面図であり、同図（ｂ）は、同図（ａ）の筐体底面図である。また、図３（ａ）は、本発明を適用した筐体の設置状態を示す下部側面図であり、同図（ｂ）は、同図（ａ）の筐体底面図である。
【００１８】
まず、図１および図２（ａ），同図（ｂ）を参照すると、本発明のアーム付きキャスタ１は、電子機器等の筐体６の底板７の４隅にレベラ８および支持具９とを対で螺合により取り付けられている。このアーム付きキャスタ１は、レベラ８を軸に基端部穴４を中心として回動可能であるが、支持具９で掛止することにより回動を防止することができる。
【００１９】
ここで、筐体６を移動させる場合について説明すると、まず、底板７の４隅に取り付けられたそれぞれのアーム付きキャスタ１について、アーム３の末端部凹５を支持具９で筐体６の底板７に掛止してアーム３の回動を制止し、かつキャスタ２がそれぞれ筐体６の外側に位置するようにアーム３の先端部を張り出させる。そして、レベラ８の高さを調節して筐体６を下降させる。これにより、キャスタ２を接地させるとともにレベラ８を設置面から離す。これにより、全てのキャスタ２が筐体６の外側に張り出しているので筐体６の姿勢が安定し、所定の場所へ安全に移動させることができる。
【００２０】
次に、図１および図３（ａ），同図（ｂ）を参照して、移動させた筐体６を設置する場合について説明すると、まず、レベラ８を調節して所定の位置まで下げて接地させ、このとき、筐体６の姿勢を安定に保ちながらキャスタ２を設置面から浮かせる。次いで、支持具９を緩めてアーム３の末端部凹５の掛止を解き、図３（ｂ）に示すように、アーム付きキャスタ１を矢印の方向へ回転させ、筐体６の底面側に収納する。これにより、アーム付きキャスタ１が筐体６の外側にはみ出すこともなく、かつ筐体６を安定に設置することができる。このように，本発明の筐体は、設置時に筐体外への張り出しがないので、余計な設置面積を必要としないで済む。
【００２１】
続いて、本発明の他の実施の形態について説明する。図４（ａ）は、筐体移動時の状態を示す斜視図、および同図（ｂ）は、筐体設置時に冷気防止カバーを取り付けた状態を示す斜視図である。
【００２２】
図４（ａ），同図（ｂ）を参照すると、本実施例は、冷気防止カバーを備えた筐体に関するものであって、筐体６をアーム付きキャスタ１により安全に移動させ、上述したように筐体６を所定の場所へ設置し、アーム付きキャスタ１を収納した後、筐体６の下部周囲に冷気防止カバー１０を取り付けた状態を示したもので、その効果を十分に発揮させることができる。
【００２３】
【発明の効果】
以上説明したように本発明のアーム付きキャスタは、回動可能な機構を備え、移動時にアーム付きキャスタが筐体を筐体底面の外側から支える構成としたことにより、移動時に転倒防止用の補助キャスタを備えることなく筐体を安定させとともに、運搬時には転倒し難くなるという効果がある。また、筐体設置時にはアーム付きキャスタを筐体底面に収納できるため、定面積内での設置が可能になるとともに、冷気防止カバー等も効果よく取り付けられるという利点がある。
【図面の簡単な説明】
【図１】本発明の一実施の形態であるキャスタを示す図である。
【図２】本発明を適用した筐体の移動状態を示す下部側面図および筐体底面図である。
【図３】本発明を適用した筐体の設置状態を示す下部側面図および筐体底面図である。
【図４】筐体移動時の状態および筐体設置時に冷気防止カバーを取り付けた状態を示す斜視図である。
【図５】従来のキャスタ付き筐体の一例を示す斜視図である。
【符号の説明】
１    アーム付きキャスタ
２    キャスタ
３    アーム
４    基端部穴
５    末端部凹
６    筐体
７    底板
８    レベラ
９    支持具
１０    冷気防止カバー
１１    筐体
１２    キャスタ
１３    転倒防止用補助輪
【図１】
2004200564.tif 000003
【図２】
2004200564.tif 000004
【図３】
2004200564.tif 000005
【図４】
2004200564.tif 000006
【図５】
2004200564.tif 000007